(57)【要約】【課題】需要家の世帯構成を推定する。【解決手段】記憶部において、需要家に設置されるセンサ装置から取得した需要家の電力使用量と、予め設定される所定の世帯構成毎の標準的な電力使用量を含む世帯別標準電力使用量と、電力に関連するサービスの情報を含む電力関連サービス情報とを有し、演算部において、世帯別標準電力使用量と、需要家から取得した電力使用量とに基づいて、当該需要家の世帯構成を推定し、その推定した世帯構成に基づいて、当該需要家に適合する電力関連サービス情報を特定し、その特定した電力関連サービス情報を当該需要家に送信する。【選択図】図２
2014174890.tif 000002
【特許請求の範囲】
【請求項１】
需要家に設置されるセンサ装置から情報を取得する電力情報管理サーバであって、演算部及び記憶部を備え、
前記記憶部は、
前記センサ装置から取得した需要家の電力使用量と、
予め設定される所定の世帯構成毎の標準的な電力使用量を含む世帯別標準電力使用量と、
電力に関連するサービスの情報を含む電力関連サービス情報と、を有し、
前記演算部は、
Ａ）前記世帯別標準電力使用量と前記需要家から取得した前記電力使用量とに基づいて、当該需要家の世帯構成を推定し、
その推定した世帯構成に基づいて、当該需要家に適合する電力関連サービス情報を特定し、その特定した電力関連サービス情報を当該需要家に送信する
電力情報管理サーバ。
【請求項２】
前記記憶部は、
時期及び場所毎の前記世帯別標準電力使用量を有しており、
前記演算部は、
前記需要家の電力使用量が検針された時期及び場所に適合する世帯別標準電力量を抽出し、その抽出した世帯別標準電力量を用いて、前記需要家の世帯構成を推定する
請求項１に記載の電力情報管理サーバ。
【請求項３】
前記演算部は、
前記需要家の電力使用量の時間的変化パターンと前記世帯別標準電力使用量の時間的変化パターンとを比較し、その類似度の高さに基づいて、前記需要家の世帯構成を推定する
請求項１又は２に記載の電力情報管理サーバ。
【請求項４】
前記演算部は、前記世帯別標準電力使用量及び前記需要家の電力使用量の一日間の時間的変化パターンを比較する
請求項３に記載の電力情報管理サーバ。
【請求項５】
前記演算部は、
前記需要家に送信した電力関連サービス情報に対する申込の応答を受信した場合、その申込された電力関連サービスに係る事業者に対して、当該需要家の電力使用量を提供する
請求項１乃至４の何れか一項に記載の電力情報管理サーバ。
【請求項６】
前記記憶部は、
需要家の有する発電装置または蓄電装置から電力系統に流入する電力量である逆潮流値と、
所定の世帯構成毎の標準的な逆潮流値を含む世帯別逆潮流値と、をさらに有し、
前記演算部は、
Ｂ）前記世帯別標準電力使用量及び前記需要家の電力使用量と、前記世帯別逆潮流値及び前記需要家の逆潮流値と、に基づいて、当該需要家の世帯構成を推定する
請求項１又は５に記載の電力情報管理サーバ。
【請求項７】
前記演算部は、
前記逆潮流値が検針可能な需要家については、上記Ｂ）によって世帯構成を推定し、
前記逆潮流値が検針不可能な需要家については、上記Ａ）によって世帯構成を推定する
請求項６に記載の電力情報管理サーバ。
【請求項８】
予め設定される所定の世帯構成毎の標準的な電力使用量を含む世帯別標準電力使用量と、需要家に設置されるセンサ装置から取得した需要家の電力使用量とに基づいて、当該需要家の世帯構成を推定し、
その推定した世帯構成に基づいて、当該需要家に適合する電力に関連するサービスの情報を含む電力関連サービス情報を特定し、その特定した電力関連サービス情報を当該需要家に送信する
電力情報管理方法。
【発明の詳細な説明】
【技術分野】
【０００１】
本発明は、電力情報管理サーバ及び電力情報管理方法の技術に関する。
【背景技術】
【０００２】
近年、電力会社等の検針・料金徴収業務に必要な双方向通信機能を有するスマートメータが検討されている。スマートメータから提供されるデータとしては、メータにより計測される電力使用量、太陽光発電等の余剰買い取り分を示す逆潮流値、及び時刻情報等が考えられている（非特許文献１）。
【先行技術文献】
【非特許文献】
【０００３】
【非特許文献１】スマートメータ制度検討会報告書  平成２３年２月（ｈｔｔｐ：／／ｗｗｗ．ｍｅｔｉ．ｇｏ．ｊｐ／ｃｏｍｍｉｔｔｅｅ／ｓｕｍｍａｒｙ／０００４６６８／ｒｅｐｏｒｔ＿００１．ｈｔｍｌ）
【発明の概要】
【発明が解決しようとする課題】
【０００４】
需要家が自らの電力等使用情報を取得する方法ついては、以下の３つのルートが検討されている。
（Ａルート）電力事業者等のシステムからインターネットを経由して取得するルート。
（Ｂルート）スマートメータから直接取得するルート。
（Ｃルート）第三者（サービス事業者）を経由して取得するルート。
【０００５】
ここで、Ｃルートが実現した場合、多数のサービス事業者が出現することが予想される。しかし、需要家が、このような多数のサービス事業者から適切なサービス事業者を発見することは難しい。
【０００６】
また、サービス事業者が、需要家の電力等使用情報を活用したサービスを提供することも考えられる。しかし、電力等使用情報は、需要家のプライバシーに関わる情報を含み得るので、自由にサービス事業者に提供されることは望ましくない。
【０００７】
そこで、本発明の目的は、需要家が適切な電力に関連するサービス事業者を発見できるようにすることにある。また、本発明の別の目的は、需要家の電力等使用情報が適切にサービス事業者に提供されるようにすることにある。
【課題を解決するための手段】
【０００８】
需要家に設置されるセンサ装置から情報を取得する電力情報管理サーバであって、電力情報管理サーバは、演算部及び記憶部を備える。記憶部は、センサ装置から取得した需要家の電力使用量と、予め設定される所定の世帯構成毎の標準的な電力使用量を含む世帯別標準電力使用量と、電力に関連するサービスの情報を含む電力関連サービス情報と、を有する。演算部は、世帯別標準電力使用量と、需要家から取得した電力使用量とに基づいて、当該需要家の世帯構成を推定し、その推定した世帯構成に基づいて、当該需要家に適合する電力関連サービス情報を特定し、その特定した電力関連サービス情報を当該需要家に送信する。
【発明の効果】
【０００９】
本発明によれば、需要家が適切な電力に関連するサービス事業者を容易に発見することができる。また、本発明によれば、需要家の電力等使用情報を適切にサービス事業者に提供することができる。
【図面の簡単な説明】
【００１０】
【図１】システムの全体構成例を示すブロック図である。
【図２】システムの構成間の関係を示す図である。
【図３】電力情報管理サーバの構成及び処理例を示すブロック図である。
【図４】サービス情報ＤＢのデータ構成例を示すテーブルである。
【図５】電力情報ＤＢのデータ構成例を示すテーブルである。
【図６】標準電力情報ＤＢのデータ構成例を示すテーブルである。
【図７】需要家情報ＤＢのデータ構成例を示すテーブルである。
【図８】世帯構成推定処理の一例を示すフローチャートである。
【図９】サービス情報提供処理の一例を示すフローチャートである。
【図１０】電力情報提供処理の一例を示すフローチャートである。
【図１１】サービス事業者向けのサービス登録用ＵＩの一例を示す模式図である。
【図１２】需要家向けの電力情報表示ＵＩの一例を示す模式図である。
【図１３】需要家向けの推奨サービス情報表示ＵＩの一例を示す模式図である。
【発明を実施するための形態】
【００１１】
以下、需要家の電力情報から当該需要家の世帯構成を推定する電力情報管理サーバの実施形態について、図面を参照しながら説明する。
【００１２】
図１は、本実施形態に係るシステムの全体構成を示すブロック図である。本実施形態に係るシステムには、例えば、需要家の備えるスマートメータ１２及び端末１３と、電力事業者等によって運営される電力情報管理サーバ１０と、サービス事業者によって運営されるサービスサーバ１１とが存在する。これらの要素１０〜１２は、通信ネットワークＮを介して、相互にデータを送受信できる。
【００１３】
スマートメータ１２は、需要家の住宅又は店舗等（以下「需要家宅」という）に備えられ、需要家宅の電力使用量を検針する。需要家宅が太陽光発電装置等の発電装置を備えている場合、スマートメータ１２は、その需要家宅からの電力の逆潮流値を検針しても良い。スマートメータ１２は、更に、その場所の気温及び天候等を測定するセンサを備えても良い。スマートメータ１２は、これら検針及び測定した情報を含む電力情報を、所定のタイミングで（例えば、３０分毎に）電力情報管理サーバ１０に送信する。電力情報には、例えば、検針日時、電力使用量及び逆潮流値等が含まれる。
【００１４】
端末１３は、需要家によって利用される。端末１３は、ＰＣ（Ｐｅｒｓｏｎａｌ  Ｃｏｍｐｕｔｅｒ）、携帯電話又はスマートフォン等の一般的な計算機であっても良い。需要家は、端末１３を介して、自分の電力使用量及び逆潮流値等を確認できても良い。需要家は、端末１３を介して、サービスサーバ１１から提供される電力に関連するサービス（以下「電力関連サービス」という）を利用できても良い。
【００１５】
サービスサーバ１１は、サービス事業者が、需要家に電力関連サービスを提供するために用いられる。サービスサーバ１１は、需要家から提供された電力情報を利用して、その需要家に電力関連サービスを提供しても良い。電力関連サービスとしては、例えば、需要家に対して適切な節電方法をアドバイスするサービス等が考えられる。しかし、電力情報は、需要家のプライバシーに関わる情報を含み得るので、自由にサービス事業者に提供されることは望ましくない。
【００１６】
そこで、電力情報管理サーバ１０は、需要家とサービス事業者との間を仲介する役割を果たす。つまり、電力情報管理サーバ１０は、スマートメータ１２から電力情報を収集して管理すると共に、サービス事業者の電力関連サービスも管理する。そして、電力情報管理サーバ１０は、需要家が許可した（契約した）サービス事業者に対して、その需要家の電力情報を提供する。
【００１７】
図２は、システムの構成間の関係を示す図である。ここでは、電力情報管理サーバ１０、スマートメータ１２、端末１３及びサービスサーバ１１の間の情報の流れについて説明する。
【００１８】
サービスサーバ１１は、自己の電力関連サービスを電力情報管理サーバ１０に登録する（Ｓ１１）。電力情報管理サーバ１０は、この登録された電力関連サービスを管理する。
【００１９】
需要家の備えるスマートメータ１２は、検針した電力情報を所定のタイミングで電力情報管理サーバ１０に送信する（Ｓ１２）。電力情報管理サーバ１０は、この送信された電力情報を管理する。
【００２０】
電力情報管理サーバ１０は、需要家に係る過去の電力情報と、世帯構成別の需要家の標準的な電力使用量等を含む標準電力情報と、に基づいて、その需要家の世帯構成を推定する（Ｓ１３）。
【００２１】
電力情報管理サーバ１０は、その需要家について推定した世帯構成に基づいて、その需要家に適合する電力関連サービスの情報（以下「推奨サービス情報」という）を抽出する（Ｓ１４）。
【００２２】
電力情報管理サーバ１０は、その抽出した推奨サービス情報を、需要家の端末１３に送信する（Ｓ１５）。
【００２３】
端末１３は、その推奨サービス情報を需要家に提示し、サービスの契約を受け付ける。そして、端末１３は、需要家から契約するサービスが選択されると（Ｓ１６）、その選択されたサービス情報を電力情報管理サーバ１０に送信する（Ｓ１７）。
【００２４】
電力情報管理サーバ１０は、その受信したサービス情報に係るサービスを提供しているサービスサーバ１１（サービス事業者）に、その需要家の電力情報を提供する（Ｓ１８）。
【００２５】
サービスサーバ１１は、その需要家の電力情報を利用して、その需要家に電力関連サービスを提供する（Ｓ１９）。
【００２６】
これにより、需要家は、自分の世帯構成等を電力情報管理サーバに通知するなど特段の手間をかけることなく、多数の電力関連サービスの中から自分に適合するサービスを容易に発見することができる。また、需要家は、自分の契約したサービス事業者に対してのみ自分の電力情報を提供し、それ以外のサービス事業者には提供しない等、自分の電力情報をコントロールすることができる。また、サービス事業者は、電力情報を用いて、需要者毎に最適な電力関連サービスを提供することができる。以下、上述の内容について詳細に説明する。
【００２７】
図３は、電力情報管理サーバ１０の構成及び処理を示すブロック図である。電力情報管理サーバ１０は、ハードウェアとして、ＣＰＵ２１と、メインメモリ２３と、記憶デバイス２２と、入出力Ｉ／Ｆ（Ｉｎｔｅｒｆａｃｅ）２４と、通信Ｉ／Ｆ２５と、記憶デバイスＩ／Ｆ２６とを有する。
【００２８】
ＣＰＵ２１は、コンピュータプログラム（以下「プログラム」という）を処理して、電力情報管理サーバ１０の有する様々な機能を実現する。プログラムは、メインメモリ２３及び／又は記憶デバイス２２等に格納されても良い。
【００２９】
メインメモリ２３には、ＣＰＵ２１等から利用されるプログラム及びデータ等が格納される。メインメモリ２３は、例えば、ＤＲＡＭ（Ｄｙｎａｍｉｃ  Ｒａｎｄｏｍ  Ａｃｃｅｓｓ  Ｍｅｍｏｒｙ）等から構成される。
【００３０】
入出力Ｉ／Ｆ２４には、入出力デバイスが接続される。入力デバイスとは、例えば、キーボード及びマウス等である。出力デバイスとは、例えば、ディスプレイ及びスピーカ等である。
【００３１】
通信Ｉ／Ｆ２５は、電力情報管理サーバ１０を通信ネットワークＮに接続するためのＩ／Ｆである。通信Ｉ／Ｆ２５は、例えば、Ｅｔｈｅｒｎｅｔ（登録商標）又はＳＡＳ（Ｓｅｒｉａｌ  Ａｔｔａｃｈｅｄ  ＳＣＳＩ）等の規格に準拠するＩ／Ｆである。
【００３２】
記憶デバイスＩ／Ｆ２６には、記憶デバイス２２が接続される。記憶デバイスＩ／Ｆ２６は、例えば、ＳＡＴＡ、ＳＣＳＩ又はＰＣＩ−Ｅｘｐｒｅｓｓ等の規格に準拠するＩ／Ｆである。
【００３３】
記憶デバイス２２には、様々なデータが格納される。記憶デバイス２２は、例えば、ＨＤＤ（Ｈａｒｄ  Ｄｉｓｋ  Ｄｒｉｖｅ）又はフラッシュメモリ等から構成される。記憶デバイス２２には、サービス情報ＤＢ（Ｄａｔａｂａｓｅ）５１と、電力情報ＤＢ５２と、標準電力情報ＤＢ５３と、需要家情報ＤＢ５４とが格納される。次に、これら各ＤＢ５１〜５４について、図面を参照しながら説明する。
【００３４】
図４は、サービス情報ＤＢ５１のデータ構成の一例を示す。サービス情報ＤＢ５１は、サービス情報をレコード１００ａ、ｂ、…として管理する。以下、レコード１００ａ、ｂ、…を区別しない場合は、レコード１００と表記する。サービス情報は、項目として、事業者ＩＤ１０１と、サービスＩＤ１０２と、サービス名１０３と、サービス内容１０４と、サービス種別１０５とを有する。
【００３５】
事象者ＩＤ１０１には、サービス事業者を識別するためのＩＤが格納される。サービスＩＤ１０２には、当該レコード１００に係るサービス事業者が提供する電力関連サービスを識別するためのＩＤが格納される。サービス名１０３には、当該レコード１００に係る電力関連サービスの名称が格納される。サービス内容１０４には、当該レコード１００に係る電力関連サービスの内容が格納される。
【００３６】
サービス種別１０５には、当該レコード１００に係るサービス情報の種別が格納される。サービス種別１０５には、当該レコード１００に係るサービス情報が対象とする需要家の世帯構成が格納されても良い。サービス種別１０５には、個人及び家族等の需要家を対象としているのか、或いは店舗及び工場等の需要家を対象としているのかを示す情報が格納されても良い。サービス種別１０５には、何れの契約アンペア数の需要家を対象としているのかを示す情報が格納されても良い。サービス種別１０５には、何れの場所（地域）の需要家を対象としているのかを示す情報が格納されても良い。サービス種別１０５には、これらの情報が組み合わせて格納されても良い。例えば、サービス種別１０５には、「単身世帯」、「子供無し世帯」、「子供有り世帯」又は「二世帯」等が格納されても良い。
【００３７】
図５は、電力情報ＤＢ５２のデータ構成の一例を示す。電力情報ＤＢ５２は、電力情報をレコード１２０ａ、ｂ、…として管理する。以下、レコード１２０ａ、ｂ、…を区別しない場合は、レコード１２０と表記する。電力情報は、項目として、スマートメータＩＤ１２１と、日付１２２と、時間１２３と、電力使用量１２７とを有する。電力情報は、更なる項目として、場所１２４と、気温１２５と、天候１２６と、逆潮流値１２８とを有しても良い。
【００３８】
スマートメータＩＤ１２１には、スマートメータ１２を識別するためのＩＤが格納される。日付１２２には、当該レコードに係る電力情報が検針された日付が格納される。時間１２３には、当該レコード１２０に係る電力情報が検針された時間が格納される。場所１２４には、スマートメータ１２の設置されている地理的な場所（地域）が格納される。場所１２４には、住所が格納されても良いし、経度及び緯度が格納されても良い。
【００３９】
気温１２５には、例えば、当該レコード１２０に係る場所１２４及び時間１２３における気温（平均気温）が格納される。気温１２３は、スマートメータ１２に備えられた所定のセンサによって計測されたものであっても良いし、気象庁等によって公開されたものであっても良い。天候１２６には、当該レコード１２０に係る場所１２４及び時間１３０における天候が格納される。天候２６は、スマートメータ１２に備えられた所定のセンサによって計測されたものであっても良いし、気象庁等によって公開されたものであっても良い。天候１２６には、「晴」、「曇」、「雨」又は「雪」が格納されるとしても良い。
【００４０】
電力使用量１２７には、当該レコード１２０に係る時間１２３において使用された電力量が格納される。電力使用量１２７には、スマートメータ１２によって検針された値が格納される。
【００４１】
逆潮流値１２８には、当該レコード１２０に係る時間１２３において電力系統に逆潮流された電力量が格納される。逆潮流値１２８には、スマートメータ１２によって検針された値が格納される。逆潮流値１２８を検針できない場合、逆潮流値１２８は、空欄であっても良い。つまり、発電装置を備えてない需要家に係る逆潮流値１２８は、空欄であっても良い。
【００４２】
図６は、標準電力情報ＤＢ５３のデータ構成の一例を示す。標準電力情報ＤＢ５３は、標準電力情報をレコード１４０a、ｂ、…として管理する。以下、レコード１４０ａ、ｂ、…を区別しない場合は、レコード１４０と表記する。標準電力情報とは、所定の世帯構成における標準的な電力情報である。標準電力情報は、項目として、標準世帯構成１４１と、時間１４３と、標準電力使用量１４７とを有する。標準電力情報は、更なる項目として、季節１４２と、場所１４４と、気温１４５と、天候１４６と、標準逆潮流値１４８とを有しても良い。
【００４３】
標準世帯構成１４１には、当該レコード１４０が対象とする世帯構成が格納される。つまり、当該レコード１４０に係る標準電力情報は、この標準世帯構成１４１の需要家の標準的な電力使用量（標準電力使用量１４７）及び標準的な逆潮流値（標準逆潮流値１４８）を含む。しかし、標準電力使用量１４７及び標準逆潮流値１４８は、スマートメータ１２の設置場所、並びに、それが検針された時間、季節及び天候等によって異なり得る。そこで、標準電力情報は、世帯構成１４１に限らず、更に、場所１４４、時間１４３、季節１４２、気温１４５及び天候１４６等を条件に細分化されている。そして、標準電力情報は、これら細分化された条件毎の標準電力使用量１４７及び標準逆潮流値１４８を有する。このように、条件毎に細分化された標準電力情報を有することにより、比較的少ない電力情報（例えば、１日間分の電力情報）から、その電力情報に係る需要家の世帯構成を推定することができる。なお、標準電力情報は、必ずしも上記の全ての条件で細分化される必要はなく、一部の条件で細分化されても良い。
【００４４】
季節１４２には、当該レコード１４０が対象とする季節が格納される。季節１４２には、例えば、「春」、「夏」、「秋」又は「冬」が格納されるとしても良いし、「３月〜５月」、「６月〜８月」、「９月〜１１月」又は「１２月〜２月」が格納されるとしても良い。時間１４３には、当該レコード１４０が対象とする時間帯が格納される。時間１４３には、例えば、「６時〜９時」、「９時〜１２時」等、１日を３時間毎に分けた時間が格納されても良い。場所１４４には、当該レコード１４０が対象とする地理的な場所（地域）が格納される。場所１４４には、所定の地域を示す住所が格納されても良いし、所定の範囲を示す経度、緯度及び半径距離が格納されても良い。
【００４５】
気温１４５には、当該レコード１４０が対象とする気温の範囲が格納される。気温１４５には、例えば、「０℃未満」、「０〜１０℃」、「１０〜２０℃」、「２０〜３０℃」又は「３０℃以上」が格納されるとしても良い。天候１４６には、当該レコードが対象とする天候が格納される。天候１４６には、「晴」、「曇」、「雨」又は「雪」が格納されるとしても良い。
【００４６】
標準電力使用量１４７には、当該レコード１４０に係る世帯構成１４１、場所１４４、季節１４２、気温１４５、天候１４６及び時間１４３を条件とした場合の標準的な電力使用量が格納される。標準電力使用量１４７は、多数の需要家の過去の電力使用量を統計的に解析して算出されても良い。標準電力使用量１４７は、多数の需要家の電力使用量が蓄積されるに応じて、適宜更新されても良い。
【００４７】
標準逆潮流値１４８には、当該レコード１４０に係る世帯構成１４１、場所１４４、季節１４２、気温１４５、天候１４６及び時間１４３を条件とした場合の標準的な逆潮流値が格納される。標準逆潮流値１４８は、多数の需要家の過去の逆潮流値を統計的に解析して算出されても良い。標準逆潮流値１４８は、多数の需要家の逆潮流値が蓄積されるに応じて、適宜更新されても良い。
【００４８】
図７は、需要家情報ＤＢ５４のデータ構成の一例を示す。需要家情報ＤＢ５４は、需要家情報をレコード１６０ａ、ｂ、…として管理する。以下、レコード１６０ａ、ｂ、…を区別しない場合は、レコード１６０と表記する。需要家情報は、項目として、需要家ＩＤ１６１と、スマートメータＩＤ１６２と、推定世帯構成１６３と、推奨サービスＩＤ１６４と、契約事業者ＩＤ１６５と、契約サービスＩＤ１６６とを有する。
【００４９】
需要家ＩＤ１６１には、需要家を識別するためのＩＤが格納される。スマートメータＩＤ１６２には、上述の通り、スマートメータ１２を識別するためのＩＤが格納される。推定世帯構成１６３には、当該レコード１６０に係る需要家の推定される世帯構成が格納される。推定世帯構成１６３は、世帯構成推定処理４３によって推定される。世帯構成推定処理４３の詳細については後述する。
【００５０】
推奨サービスＩＤ１６６には、当該レコード１６０に係る需要家に適合（推奨）する電力関連サービスのＩＤが格納される。推奨サービスは、サービス情報提供処理４４によって抽出される。サービス情報提供処理４４の詳細については後述する。
【００５１】
契約事業者ＩＤ１６５には、当該レコード１６０に係る需要家が契約したサービス事業者のＩＤが格納される。契約サービスＩＤ１６６には、当該レコードに係る需要家が契約した電力関連サービスのＩＤが格納される。以下、図３の説明を続ける。
【００５２】
電力情報管理サーバ１０の備えるＣＰＵ２１では、事業者用ＵＩ処理４１と、需要家用ＵＩ処理４２と、世帯構成推定処理４３と、サービス情報提供処理４４と、電力情報提供処理４５とが実行され得る。
【００５３】
世帯構成推定処理４３は、需要家の電力情報に基づいて、当該需要家の世帯構成を推定する。世帯構成推定処理４３は、標準電力情報と、需要家の電力情報とに基づいて、当該需要家の世帯構成を推定しても良い。世帯構成推定処理４３は、需要家の電力情報に含まれている所定の項目（例えば、時期及び場所）に適合する標準電力情報を抽出し、その抽出した標準電力情報を用いて、当該需要家の世帯構成を推定しても良い。世帯構成推定処理４３は、標準電力使用量と、需要家の電力使用量とに基づいて、当該需要家の世帯構成を推定しても良い。世帯構成推定処理４３は、標準電力情報及び標準逆潮流値と、需要家の電力使用量及び逆潮流値とに基づいて、当該需要家の世帯構成を推定しても良い。世帯構成推定処理４３は、需要家の電力使用量の時間的変化パターンと、標準電力使用量の時間的変化パターンとを比較し、その類似度に基づいて、当該需要家の世帯構成を推定しても良い。世帯構成推定処理４３は、需要家の電力使用量の時間的変化パターンと標準電力使用量の時間的変化パターンとを比較した類似度、及び需要家の逆潮流値の時間的変化パターンと標準逆潮流値の時間的変化パターンとを比較した類似度、の何れをも含めた総合的な類似度に基づいて、当該需要家の世帯構成を推定しても良い。世帯構成推定処理４３は、標準電力使用量（標準逆潮流値）及び需要家の電力使用量（逆潮流値）の一日間の時間的変化パターンを比較して類似度を求めても良い。
【００５４】
例えば、世帯構成が「単身世帯」の標準電力使用量は、日中の使用量及び時間的変化パターンが小さく、早朝及び夜間の使用量及び時間的変化パターンが大きいという特性を有するとしても良い。単身者は、日中は仕事等によって不在で、早朝及び夜間に在宅している可能性が高いからである。例えば、世帯構成が「子供有り世帯」の標準電力使用量は、「子供無し世帯」と比較して平均的に使用量が大きいという特性を有するとしても良い。一般的に、家族が多い方が、電力使用量も大きい可能性が高いからである。さらに、世帯構成が「二世帯」の標準電力使用量は、「子供有り世帯」と比較して平均的に使用量が大きいという特性を有するとしても良い。二世帯の場合、一つの住居の中でそれぞれの家族が別個に生活する可能性が高いからである。以下、世帯構成推定処理４３の一例を示す。
【００５５】
図８は、世帯構成推定処理４３の一例を示すフローチャートである。世帯構成推定処理４３は、電力情報ＤＢ５２から処理対象のレコード（電力情報）を決定する（Ｓ１０１）。以下、この決定した処理対象のレコード（電力情報）を対象電力情報という。
【００５６】
次に、世帯構成推定処理４３は、対象電力情報の日付１２２、時間１２３、場所１２４、気温１２５及び天候１２６と、標準電力情報の季節１４２、時間１４３、場所１４４、気温１４５及び天候１４６とを比較し、標準電力情報ＤＢ５３から対象電力情報に適合する１以上の標準電力情報を抽出する（Ｓ１０２）。以下、この抽出した１以上の標準電力情報をまとめて標準電力情報候補という。例えば、世帯構成推定処理４３は、標準電力情報ＤＢ５３から、「場所」が比較的近く、「日付」が「季節」に含まれ、「気温」及び「天候」が比較的近いレコード１４０（標準電力情報）を抽出する。なぜなら、季節、場所、気温及び天候等の違いによって、電力使用量及び逆潮流値（又はそれらの時間的変化パターン）は大きく異なり得るからである。
【００５７】
次に、世帯構成推定処理４３は、対象電力情報に逆潮流値が含まれているか否かを判定する（Ｓ１０３）。なぜなら、逆潮流値が含まれている場合は、それを加味した方がより精度良く世帯構成を推定できる可能性が高くなるからである。
【００５８】
ここで、対象電力情報に逆潮流値が含まれていない場合（Ｓ１０３：ＮＯ）、世帯構成推定処理４３は、対象電力情報の電力使用量１２７と、標準電力情報候補の標準電力使用量１４８とを比較し、標準電力情報候補の中から類似度の高い標準電力情報を抽出する（Ｓ１０５）。世帯構成推定処理４３は、電力使用量１２７と標準電力使用量１４７との時間的変化パターン（例えば、１日間の時間的変化パターン）を比較して、類似度を算出しても良い。例えば、世帯構成推定処理４３は、電力使用量１２７と標準電力使用量１４７との時間的変化パターンの相関係数が高い場合は類似度を高く、相関係数が低い場合は類似度を低く算出しても良い。
【００５９】
一方、対象電力情報に逆潮流値が含まれている場合（Ｓ１０３：ＹＥＳ）、世帯構成推定処理４３は、対象電力情報の電力使用量１２７及び逆潮流値１２８と、標準電力情報候補の標準電力使用量１４７及び標準逆潮流値１４８とを比較し、標準電力情報候補の中から類似度の高い標準電力情報を抽出する（Ｓ１０４）。つまり、世帯構成推定処理４３は、上記ステップＳ１０４に示した電力使用量１２７と標準電力使用量１４７との類似度に、逆潮流値１２８と標準逆潮流値１４８との類似度も加味して、総合的な類似度を算出しても良い。
【００６０】
次に、世帯構成推定処理４３は、ステップＳ１０４又はＳ１０５において抽出した標準電力情報に係る世帯構成１４１を、対象電力情報を提供した需要家の推定世帯構成とする。そして、世帯構成推定処理４３は、その推定世帯構成を、需要家情報ＤＢ５４の当該需要家に係るレコードの推定世帯構成１６３に登録し（Ｓ１１０）、当該処理を終了する。
【００６１】
以上の処理により、世帯構成推定処理４３は、各需要家の世帯構成を推定することができる。以下、図３の説明を続ける。
【００６２】
サービス情報提供処理４４は、需要家に適切なサービス情報を提供する。サービス情報提供処理４４は、サービス情報ＤＢ５１から、推定した需要家の世帯構成に適合するサービス情報を抽出し、この抽出したサービス情報を当該需要家に提供する。以下、サービス情報提供処理４４の一例を示す。
【００６３】
図９は、サービス情報提供処理４４の一例を示すフローチャートである。サービス情報提供処理４４は、需要家情報ＤＢ５４から処理対象のレコード１６０（需要家情報）を決定する（Ｓ２０１）。以下、この決定した処理対象のレコード１６０（需要家情報）を、対象需要家情報という。
【００６４】
次に、サービス情報提供処理４４は、対象需要家情報に係る推定世帯構成１６３と、サービス情報に係るサービス種別１０５とを比較し、サービス情報ＤＢ５１から、推定世帯構成１６３を対象とするサービス種別１０５を有する１以上のサービス情報を抽出する（Ｓ２０２）。この抽出した１以上のサービス情報をまとめて推奨サービス情報という。
【００６５】
次に、サービス情報提供処理４４は、その抽出した推奨サービス情報に含まれるサービスＩＤ１０２を、対象需要家情報の推奨サービスＩＤ１６４に登録する（Ｓ２０３）。推奨サービスＩＤ１６４に登録されるＩＤは、２以上であっても良い。
【００６６】
次に、サービス情報提供処理４４は、需要家情報の推奨サービスＩＤ１６４に係るサービス情報を、需要家の端末１３に送信する（Ｓ２０４）。
【００６７】
端末１３では、この送信された推奨サービス情報が表示される。そして、端末１３は、需要家の選択（契約申込）したサービス情報を、電力情報管理サーバ１０に送信する。
【００６８】
電力情報提供処理４５は、需要家の選択（契約申込）したサービス情報を受信すると（Ｓ２０５）、以降の処理を実行する。サービス情報提供処理４４は、その受信したサービス情報に係る事業者ＩＤ１０１及びサービスＩＤ１０２を、対象需要家情報に係る契約事業者ＩＤ１６５及び契約サービスＩＤ１６６に登録し（Ｓ２０６）、当該処理を終了する。
【００６９】
ステップＳ２０１〜Ｓ２０３の処理と、ステップＳ２０４〜Ｓ２０６の処理は、別々のタイミングで実行されても良い。
【００７０】
以上の処理により、サービス情報提供処理４４は、需要家に適切なサービス情報を推奨することができる。以下、図３の説明を続ける。
【００７１】
電力情報提供処理４５は、需要家の電力情報を適切なサービス事業者に提供する。電力情報提供処理４５は、需要家が許可した又は契約したサービス事業者に対して、当該需要家の電力情報を提供する。以下、電力情報提供処理４５の一例を示す。
【００７２】
図１０は、電力情報提供処理４５の一例を示すフローチャートである。電力情報提供処理４５は、需要家情報ＤＢ５４から処理対象のレコード１６０（需要家情報）を決定する（Ｓ３０１）。以下、この決定した処理対象のレコード１６０（需要家情報）を対象需要家情報という。また、この対象需要家情報に係る需要家を対象需要家という。
【００７３】
次に、電力情報提供処理４５は、電力情報ＤＢ５２から、対象需要家の電力情報を抽出する（Ｓ３０２）。次に、電力情報提供処理４５は、対象需要家情報の契約事業者ＩＤ１６５に係るサービスサーバ１１に、対象需要家の電力情報を送信し（Ｓ３０３）、当該処理を終了する。
【００７４】
電力情報提供処理４５は、需要家の電力情報を、所定の又は任意のタイミングでサービスサーバ１１に送信しても良い。電力情報提供処理４５は、サービスサーバ１１からの要求に応じて、対象需要家の電力情報を返信しても良い。
【００７５】
以上の処理により、電力情報提供処理４５は、需要家が許可した又は契約したサービス事業者に対して、当該需要家の電力情報を提供することができる。以下、図３の説明を続ける。
【００７６】
事業者用ＵＩ処理４１は、サービス事業者に対するＵＩ（Ｕｓｅｒ  Ｉｎｔｅｒｆａｃｅ）を生成したり、そのＵＩに対するサービス事業者のアクションを処理したりする。事業者用ＵＩ処理４１は、例えば、サービス登録用ＵＩ３０１を生成する。以下、サービス登録用ＵＩ３０１の一例について、図面を用いて説明する。
【００７７】
図１１は、サービス事業者向けのサービス登録用ＵＩ３０１の一例を示す模式図である。サービス登録用ＵＩ３０１には、事業者名表示エリア３１１と、事業者ＩＤ表示エリア３１２と、サービス情報入力エリア３１３と、登録ボタン３１４とが含まれる。
【００７８】
事業者名表示エリア３１１には、サービス事業者の事業者名が表示される。事業者ＩＤ表示エリア３１２には、サービス事業者に付与されている事業者ＩＤ１０１が表示される。
【００７９】
サービス情報入力エリア３１３には、サービス事業者からサービス情報が入力される。サービス情報入力エリア３１３には、例えば、操作エリア３１２と、サービス名入力エリア３２２と、サービス内容入力エリア３２３と、サービス種別入力エリア３２４とが含まれる。サービス事業者は、サービス名入力エリア３２２に、サービスの名称を入力する。サービス事業者は、サービス内容入力エリア３２２に、そのサービスの内容（説明）を入力する。操作エリア３２１には、例えば、入力したサービス情報３２０を削除するためのボタンが配置される。
【００８０】
サービス事業者は、サービス種別入力エリア３２４に、そのサービスがどのような世帯構成の需要者を対象としているかを入力する。例えば、サービス事業者は、サービス種別入力エリア３２４に、「単身世帯」、「子供無し世帯」、「子供有り世帯」又は「二世帯」等を入力する。サービス事業者は、サービス種別入力エリア３２４に、サービスの対象とする場所（例えば「関西」等）を入力しても良い。
【００８１】
登録ボタン３１４が押下されると、サービス登録用ＵＩ３０１は、サービス情報入力エリア３１３に入力されたサービス情報３２０を、電力情報管理サーバ１０に送信する。電力情報管理サーバ１０は、この送信されたサービス情報３２０をサービス情報ＤＢ５１に登録する。以下、図３の説明を続ける。
【００８２】
需要家用ＵＩ処理４２は、需要家に対するＵＩを生成したり、そのＵＩに対する需要家のアクションを処理したりする。需要家用ＵＩ処理４２は、例えば、電力情報表示ＵＩ４０１と、推奨サービス表示ＵＩ５０１とを生成する。以下、電力情報表示ＵＩ４０１及び推奨サービス表示ＵＩ５０１の一例について、図面を用いて説明する。
【００８３】
図１２は、需要家向けの電力情報表示ＵＩ４０１の一例を示す模式図である。電力情報表示ＵＩ４０１には、毎月の電力情報表示エリア４１３と、一日の電力情報表示エリア４１４と、推奨サービスボタン４１５とが含まれる。
【００８４】
毎月の電力情報表示エリア４１３には、各月の電力使用量４２１と、当該需要家と同様の世帯構成の各月の標準電力使用量４２２とが表示される。更に、毎月の電力情報表示エリア４１３には、毎月の逆潮流値及び標準逆潮流値が合わせて表示されても良い。
【００８５】
一日の電力情報表示エリア４１４には、一日の電力使用量の時間的変化パターン４２３と、当該需要家と同様の世帯構成の一日の標準電力使用量の時間的変化パターン４２４とが折れ線グラフで表示される。更に、一日の電力情報表示エリア４１４には、一日の逆潮流値の時間的変化パターン及び標準逆潮流値の時間的変化パターンが合わせて表示されても良い。
【００８６】
これにより需要家は、自己の電力使用量等と、同様の世帯構成の需要家の標準的な電力使用量等とを容易に比較することができる。また、このように比較対象を表示することによって、需要家は、推奨サービスの中から自分に適切なサービスを選択し易くなる。
【００８７】
電力情報表示ＵＩ４０１は、推奨サービスボタン４１５が押下されると、次に示す推奨サービス表示ＵＩ５０１に処理を移す。
【００８８】
図１３は、需要家向けの推奨サービス表示ＵＩ５０１の一例を示す模式図である。推奨サービス表示ＵＩ５０１には、需要家名表示エリア５１１と、需要家ＩＤ表示エリア５１２と、推奨サービス表示エリア５１３と、申込ボタン５１４とが含まれる。
【００８９】
需要家名表示エリア５１１には、需要家の氏名等が表示される。需要家ＩＤ表示エリア５１２には、需要家に付与されている需要家ＩＤ１６１が表示される。推奨サービス表示エリア５１３には、需要家に推奨するサービスのサービス情報が表示される。
【００９０】
推奨サービス表示エリア５１３には、例えば、操作エリア５２１と、サービス名表示エリア５２２と、サービス内容表示エリア５２３と、事業者名表示エリア５２４とが含まれる。
【００９１】
操作エリア５２１には、例えば、サービス情報を選択するためのボタンが配置される。サービス名表示エリア５２２には、サービス名１０３が表示される。サービス内容表示エリア５２３には、サービス内容１０４が表示される。事業者名表示エリア５２４には、サービスを提供している事業者名が表示される。
【００９２】
需要家がサービス情報５２０を選択して申込ボタン５１４を押下すると、推奨サービス表示ＵＩ５０１は、選択したサービスを提供しているサービス事業者に電力情報を提供しても良いか否かを問い合わせる画面を表示する。そして、需要家が許可した場合、推奨サービス表示ＵＩ５０１は、その選択されたサービス情報５２０を電力情報管理サーバ１０に送信する。
【００９３】
電力情報管理サーバ１０は、その選択されたサービス情報を受信すると（図９のステップＳ２０５参照）、上述の図９及び図１０に示した処理により、需要家が申し込んだ（契約した）サービス事業者に当該需要家の電力情報を提供する。
【００９４】
このように、多数の電力関連サービスが存在する場合であっても需要家に適切なサービス情報が抽出されて表示されるので、需要家は、所望の電力関連サービスを容易に発見することができる。
【００９５】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００９６】
１０…電力情報管理サーバ  １１…サービスサーバ  １２…スマートメータ  １３…端末
【図１】
2014174890.tif 000003
【図２】
2014174890.tif 000004
【図３】
2014174890.tif 000005
【図４】
2014174890.tif 000006
【図５】
2014174890.tif 000007
【図６】
2014174890.tif 000008
【図７】
2014174890.tif 000009
【図８】
2014174890.tif 000010
【図９】
2014174890.tif 000011
【図１０】
2014174890.tif 000012
【図１１】
2014174890.tif 000013
【図１２】
2014174890.tif 000014
【図１３】
2014174890.tif 000015